(57)【要約】【課題】操作ボタンの操作面に、健常者が見やすく、また視覚障害者において誤認が生じにくい標示文字が設けられたエレベーターの操作盤を得る。【解決手段】乗客が操作してエレベーターの運行を指令する操作ボタン２と、操作ボタン２の操作面３に標示された文字の書体における標示機能の標示主部５のみが陽刻されてなる標示文字４とを設ける。これによって、健常者は標示文字４の標示主部５及び装飾的付属造形部６を見て標示文字４を容易かつ正確に認識することができる。また、視覚障害者が標示文字４を点字のように認識する場合に、標示文字４の標示主部５のみを陽刻しているため、装飾的付属造形部６を認識することがなく標示文字４の誤認を防ぎ、視覚障害者における行き操作ボタン２の操作を容易化、正確化する。【選択図】        図２
2004315097.tif 000002
【特許請求の範囲】
【請求項１】
乗客が操作してエレベーターの運行を指令する操作ボタンと、この操作ボタンの操作面に設けられて、上記操作面に標示された文字の書体における標示機能の主部のみが陽刻されてなる標示文字とを備えたエレベーターの操作盤。
【請求項２】
操作ボタンを、行き先階床指令ボタンからなるものとしたことを特徴とする請求項１記載のエレベーターの操作盤。
【発明の詳細な説明】
【０００１】
【発明の属する技術分野】
この発明は、乗客が操作して行き先階指令等のエレベーターの運行を指令する操作ボタンが設けられたエレベーターの操作盤に関する。
【０００２】
【従来の技術】
従来のエレベーターの操作盤において、乗客が操作して行き先階指令、また乗降時の戸の開閉指令等のエレベーターの運行を指令する複数個の操作ボタンが設けられる。そして、それぞれの操作ボタンの操作面に行き先階に対応した文字等が陽刻されたり、戸の開閉等のエレベーターの運行指令に対応したシンボルが凸状物として設けられたりして、視覚障害者、健常者に関わらず容易かつ正確に操作ボタンを操作できるようにすることが提案されている。（類似構成の操作ボタンとして例えば、特許文献１参照）。
【０００３】
【特許文献１】
特開２００３−１２２４８号公報（第３頁、図５、図６）
【０００４】
【発明が解決しようとする課題】
従来のエレベーターの操作盤では、操作ボタンの標示文字において文字の形態、すなわち書体として標示機能の他に装飾的な付属造形部が付加されている場合がある。このときには視覚障害者において、装飾的な付属造形部のために他の文字と混同され易くなるという問題点があった。例えば文字の１において、縦画の上端に横向きに突出した装飾的付属造形部が付加されているために文字の７と誤認され易くなる。
【０００５】
この発明は、かかる問題点を解消するためになされたものであり、操作ボタンの操作面に、健常者が見やすく、また視覚障害者において誤認が生じにくい標示文字が設けられたエレベーターの操作盤を得ることを目的とする。
【０００６】
【課題を解決するための手段】
この発明に係るエレベーターの操作盤においては、乗客が操作してエレベーターの運行を指令する操作ボタンと、この操作ボタンの操作面に設けられて、操作面に標示された文字の書体における標示機能の主部のみが陽刻されてなる標示文字とが設けられる。
【０００７】
【発明の実施の形態】
実施の形態１．
図１〜図４は、この発明の実施の形態の一例を示す図で、図１は正面図、図２は図１の操作ボタンの拡大図、図３は図２のＡ−Ａ線断面図、図４は図２の斜視図である。図において、操作盤１に例えば行き先階床指令ボタンからなる複数個の操作ボタン２が設けられ、一つの操作ボタン２の操作面３に行き先階床文字、乗降時の戸の開閉等を指令する指令文字であってエレベーターの運行を指令する標示文字４、例えば「文字１」が標示される。
【０００８】
そして標示文字４、すなわち「文字１」における標示機能の標示主部５をなす縦画のみが操作面３から突出して陽刻されて標示される。また、標示された「文字１」の書体における装飾的な付属造形部、すなわち「文字１」における「ひげ」からなる装飾的付属造形部６が標示主部５の上端から横向きに設けられる。そして、飾的付属造形部６は線描、着色、陰刻等によって操作面３と同面又は操作面３に凸部を形成することなく標示される。
【０００９】
上記のように構成されたエレベーターの操作盤において、健常者は標示文字４における標示主部５及び飾的付属造形部６を見て、標示された標示文字４を容易かつ正確に認識することができる。また、視覚障害者が標示文字４を点字のように認識する場合に、標示文字４が標示機能の標示主部５をなす箇所のみが操作面３から突出して陽刻されて標示されているため、装飾的付属造形部６を認識することがない。
【００１０】
したがって、例えば標示文字４の「文字１」において、上端に横向きに突出した装飾的付属造形部６を認識することがなく「文字７」と誤認することを防ぐことができる。このため、視覚障害者が標示文字４を点字のように認識する場合の操作を容易化、正確化できて標示文字４の誤認による混乱を防止し、またエレベーターの運行効率を向上することができる。
【００１１】
実施の形態２．
図５は、この発明の他の実施の形態の一例を示す図で、前述の図４相当図である。なお、図５の他は前述の図１〜図４の実施の形態と同様にエレベーターの操作盤が構成されている。図において、図１〜図４と同符号は相当部分を示し、標示文字４の「文字７」において、横画５１と横画５１の右端から下方に延長された斜画５２からなる標示機能の標示主部５が操作面３から突出して陽刻されて標示される。
【００１２】
また、標示文字４の「文字７」の横画５１の左端から下方に突出して設けられて標示機能の副部をなす付属的造形部６１は線描、着色、陰刻等によって操作面３と同面又は操作面３に凸部を形成することなく標示される。
【００１３】
上記のように構成されたエレベーターの操作盤において、健常者は標示文字４における標示主部５及び付属的造形部６１を見て「文字７」を認識し、また視覚障害者は標示文字４における標示機能の標示主部５のみが操作面３から突出して陽刻されているので付属的造形部６１を認識することがない。したがって、詳細な説明を省略するが図５の実施の形態においても図１〜図４の実施の形態と同様な作用が得られる。
【００１４】
実施の形態３．
図６は、この発明の他の実施の形態の一例を示す図で、前述の図４相当図である。なお、図６の他は前述の図１〜図４の実施の形態と同様にエレベーターの操作盤が構成されている。図において、図１〜図４と同符号は相当部分を示し、標示文字４の「文字４」において、縦画の上端から下方に延長された斜画５３における上半部に形成される付属的造形部６２は線描、着色、陰刻等によって操作面３と同面又は操作面３に凸部を形成することなく標示される。
【００１５】
そして、標示文字４の「文字４」における斜画５３に形成された付属的造形部６２を除いた他の箇所は、標示機能の標示主部５として操作面３から突出して陽刻されて標示される。
【００１６】
上記のように構成されたエレベーターの操作盤において、健常者は標示文字４における標示主部５及び付属的造形部６２を見て「文字４」を認識し、また視覚障害者は標示文字４における標示機能の標示主部５のみが操作面３から突出して陽刻されているので付属的造形部６２を認識することがない。このため、標示文字４の「文字４」を他の数字、英字等と誤認することを防ぐことができる。したがって、詳細な説明を省略するが図６の実施の形態においても図１〜図４の実施の形態と同様な作用が得られる。
【００１７】
【発明の効果】
この発明は以上説明したように、乗客が操作してエレベーターの運行を指令する操作ボタンと、この操作ボタンの操作面に設けられて、操作面に標示された文字の書体における標示機能の主部のみが陽刻されてなる標示文字とを設けたものである。
【００１８】
これによって、健常者は標示文字における標示主部及び飾的付属造形部、付属的造形部を見て、標示された標示文字を容易かつ正確に認識することができる。また、視覚障害者が標示文字を点字のように認識する場合に、標示文字における標示機能の標示主部をなす箇所のみが操作面から突出して陽刻されて標示されているため、装飾的付属造形部、付属的造形部を認識することがない。したがって、視覚障害者における操作ボタンの操作を容易化、正確化できて標示文字の誤認による混乱を防止する効果があり、また視覚障害者における操作ボタンの操作混乱防止によってエレベーターの運行効率を向上する効果がある。
【図面の簡単な説明】
【図１】この発明の実施の形態１を示す正面図。
【図２】図１の操作ボタンの拡大図。
【図３】図２のＡ−Ａ線断面図。
【図４】図２の斜視図。
【図５】この発明の実施の形態２を示す図４相当図。
【図６】この発明の実施の形態３を示す図４相当図。
【符号の説明】
２  操作ボタン、３  操作面、４  標示文字、５  標示主部。
【図１】
2004315097.tif 000003
【図２】
2004315097.tif 000004
【図３】
2004315097.tif 000005
【図４】
2004315097.tif 000006
【図５】
2004315097.tif 000007
【図６】
2004315097.tif 000008